(57)【要約】      （修正有）【課題】  飲料水等の水の浄化において各種の化学的処理方法では、処理材料の性能劣化や調製・補充に手間を要する。この水の浄化を簡単な取り付け操作で、且つ、長期に亘る性能安定性が得られ、しかも、人、環境に対して悪影響を与える心配のない導管内流水活性化方法における器具を提供する。【解決手段】  永久磁石１のＮ極同士を相対させて生ずる反発磁界の近傍においたゲルマニウム内在黒雲母２から放射される遠赤外線を作用させることを特徴とする導管内流水活性化器具である。【選択図】  図１
2005081228.tif 000002
【特許請求の範囲】
【請求項１】
給水管及び／又は蛇口若しくはその延長部の内部に取り付けた永久磁石のＮ極同士を相対させて、前記給水管及び／又は蛇口若しくはその延長部の内部に斥力磁場を誘導したところに、前記永久磁石表面に近接させたゲルマニウム内在黒雲母から放射される遠赤外線を作用させることを特徴とする導管内流水活性化方法。
【請求項２】
前記ゲルマニウム内在黒雲母は、粉末として永久磁石表面に塗装付着させ、又は強磁性体板に塗装付着させて永久磁石に吸着させて用いるか、又は粉末若しくは顆粒として永久磁石表面と可動的に接触させて用いるか、あるいは強磁性体粉末と共存させて加工し、着磁させたボンド磁石成型物として用いることを特徴とする請求項１記載の導管内流水活性化方法。
【請求項３】
相対させている内面部のＮ極にゲルマニウム内在黒雲母を付着させた永久磁石１を保持材３に押着させてなることを特徴とする導管内流水活性化器具。
【請求項４】
前記永久磁石１は、ゲルマニウム内在黒雲母粉末と樹脂系塗料とを焼き付け処理し、次いで塗膜を付着させたものを磁力で吸着させた磁性体板からなる永久磁石であることを特徴とする請求項３記載の導管内流水活性化器具。
【請求項５】
ゲルマニウム内在黒雲母顆粒とＮ極同士を相対させているを永久磁石とを保持材内で接触充填させることを特徴とする導管内流水活性化器具。
【請求項６】
ゲルマニウム内在黒雲母粉末と強磁性体粉末とを共存させて加工し、着磁させたＮ極同士を相対させているボンド磁石成型物からなることを特徴とする導管内流水活性化器具。
【発明の詳細な説明】
【技術分野】
【０００１】
本発明は、導管内流水活性化方法及び導管内流水活性化器具に関し、更に詳しくは、遠赤外線の放射と磁気斥力を組み合わせて利用した流水活性化器具に関する。
【従来技術】
【０００２】
我々の住む地球では、近年、特に水資源の枯渇が心配され、一方でまた、河川の水、雨水共に汚染が進んでいる現状があり、それらの水を集めて多くの人に供給する安全な飲料水道水を作るためには、殺菌剤や不純物吸着剤、ｐＨ調製剤等の化学薬剤を相当量使用しなければならない。
【０００３】
また、工場の装置や職場環境の清掃等に使用する中水や農業、漁業などで使われる間近にある淡水や海水も注意を払わないと使用してかえってマイナスの結果を生むことがある。
【０００４】
これらのことから、飲料水だけでもより安全なものにしたり、また、おいしく感じるものにしたいという要求が高まり、飲用時にカルシウムイオンを投入して殺菌後の塩素イオンを除去したり、逆浸透膜を用いて、雑菌の通過を阻止したり、あるいは活性炭によって混有不純物を吸着させたりすることが各方面で行われている。
【０００５】
一方、水に直接接触せずに、水を改質させる方法として古くから給水管や蛇口に一個又は複数個の永久磁石を取り付けて、磁場内で水分子に電荷を持たせることを目論んだり、磁力と遠赤外線物質とを組み合わせて、その現象を助長させようとする装置が考えだされてきている。
【発明の開示】
【発明が解決しようとする課題】
【０００６】
しかしながら、前述した各種の化学的処理方法では、処理材料の性能劣化があり、その都度調製、補充する手間があって、その目安を見ることが難しく、かつ、煩わしい。また、磁力や遠赤外線を利用する物理的処理方法では、目に見えた効果を得るためには、流水中にも磁場をつくる必要から、かなり強い磁力を有する永久磁石を使用しなければならないので、装置の取り付けに留意しなければならず、しかも取り付け後も装置全体の強い残留磁束密度が周辺のＩＣ関連精密器具類の正常作動を妨げる心配があるなどの問題点があった。
【０００７】
さらには、公知の永久磁石の組み合わせ及びそれに加えて遠赤外線放射物質を附属させた磁気水活性化装置では、水に作用する磁力範囲が狭く、従って、水を変質させる効率が悪いために、管内の清浄化のためには都合良いが、装置部分を通過してでた流水の性質は短時間で原水と変わらないものになってしまうという難点があった。
【課題を解決するための手段】
【０００８】
本発明者は、上記課題を解決する目的で、簡便な取り付け操作でかつ、長期に亘る性能安定性が得られ、しかも人、環境に対して悪影響を与える心配のない導管内流水活性化器具をつくり出す研究を鋭意行った結果、限定された極の近傍に低温条件下で遠赤外線を放射する固有の物質を付帯させた永久磁石を相対させて給水管及び／又は蛇口に固定させた後に、水を流すと化学的処理を一切付帯させることなしに、効率良く水が活性化され、しかも、その状態が長時間接続するという知見を得て、本発明に到達した。
【０００９】
すなわち本発明の第１は、給水管及び／又は蛇口若しくはその延長部の内部に取り付けた永久磁石のＮ極同士を相対させて、前記給水管及び／又は蛇口若しくはその延長部の内部に斥力磁場を誘導したところに、前記永久磁石表面に近接させたゲルマニウム内在黒雲母から放射される遠赤外線を作用させることを特徴とする導管内流水活性化方法である。
【００１０】
本発明の第２は、前記ゲルマニウム内在黒雲母は、粉末として永久磁石表面に塗装付着させ、又は強磁性体板に塗装付着させて永久磁石に吸着させて用いるか、又は粉末若しくは顆粒として永久磁石表面と可動的に接触させて用いるか、あるいは強磁性体粉末と共存させて加工し、着磁させたボンド磁石成型物として用いることを特徴とする請求項１記載の導管内流水活性化方法である。
【００１１】
本発明の第３は、相対させている内面部のＮ極にゲルマニウム内在黒雲母を付着させた永久磁石１を保持材３に押着させてなることを特徴とする導管内流水活性化器具である。
【００１２】
本発明の第４は、前記永久磁石は、ゲルマニウム内在黒雲母粉末と樹脂系塗料とを焼き付け処理し、次いで塗膜を付着させたものを磁力で吸着させた磁性体板からなる永久磁石であることを特徴とする請求項３記載の導管内流水活性化器具である。
【００１３】
本発明の第５は、ゲルマニウム内在黒雲母顆粒とＮ極同士を相対させている永久磁石とを保持材内で接触充填させることを特徴とする導管内流水活性化器具である。
【００１４】
本発明の第６は、ゲルマニウム内在黒雲母粉末と強磁性体粉末とを共存させて加工し、着磁させたＮ極同士を相対させているボンド磁石成型物からなることを特徴とする導管内流水活性化器具である。
【発明の効果】
【００１５】
本発明の導管内流水活性化方法に使用する導管内流水活性化器具は、永久磁石のＮ極同士を相対させて生ずる反発磁界の近傍に、ゲルマニウムを内在させた低温条件下で遠赤外線を放射する黒雲母を置いて、その中を通過する水分子に対してエネルギー伝搬させることよりなる物理作用応用器具であり、本発明器具を単に導管に接続させるだけで、他に水に一切の化学物質を添加せず、また、消費材を共存させる必要もなく、器具部材が破壊しない限り、半永久的に使用できるものである。
【００１６】
よって、本発明を実施することにより、簡便にかつ低コストで、安心感をもって生理活性の高い、多機能型の良い水を常時再現性良く製造し得るので、飲料をはじめとする家庭用生活水はもとより抽出、凝集、分離処理する必要のある工業用洗浄水、農業向け促進健全栽培用水、漁業向け養殖用水等の改善に大いに役立つものである。
【発明を実施するための最良の形態】
【００１７】
本発明においては、永久磁石の種類は特に選ばず、フェライト磁石でも希土類磁石でもいずれでも良い。さらには、それらの永久磁石粉末とプラスチック若しくはゴムとからなるボンド磁石でも良い。
【００１８】
本発明においては、低温条件下遠赤外線放射物質として層間にゲルマニウムを確実に内在させた黒雲母であることを要する。
【００１９】
本発明においては、相対させる極をＮ極同士とし、その間に働く斥力を流水に作用させることを要する。この場合、流水の種類は限定せず、天然水でも、水道水でも、また、飲料用でない中水でも、海水でも良く、さらに、その中に洗浄剤、防腐剤等を混有するものでも良い。
【００２０】
本発明においては、ゲルマニウム内在黒雲母粉末を塗装付着させるための強磁性体板の材質は特に限定せず、例えば、鉄、コバルト、ニッケル等を含むものが使用される。
【００２１】
本発明においては、内側におけるＮ極同士の斥力を確実に導管内流水に作用させるために、保持材に固定した永久磁石を最小限２個用意し、かつ、導管の内部でその二つが相対した状態を形成させることが必要であるが、その場合の相対状態の確保の仕方は、処理後に保持材を使用するか、または、Ｎ極同士の斥力を利用して保持材の内部に自動的に固定させることなどする。しかる後、導管内若しくは導管と蛇口との連絡部、あるいはまた蛇口の延長部において組み立てた本発明の導管内流水活性化器具を作動させる。
【００２２】
次に、本発明を実施例及び応用実施例によって説明するが、本発明の導管内流水活性化器具の技術と有用性は以下の具体例だけに限定されるものではない。
【実施例１】
【００２３】
外側半径１６ｍｍ、内側半径１２ｍｍ、長さ３０ｍｍの円柱を３分の１に切断して、内側をＮ極とした表面磁力８００ガウスのフェライト磁石の内側の面に対して、平均粒径５μｍのゲルマニウム内在黒雲母粉末（但し、韓国、株式会社曙峰社製品）６５％を含有するエポキシコートを厚さ５０μｍで施した後、ＡＢＳ樹脂からなる保持材にＮ極を上にして固定し、図１に示すように業務用塩化ビニール製水道元導管（但し、内径３２ｍｍのもの）の内部に押し込んで、本発明の導管内流水活性化器具を製造した。
【実施例２】
【００２４】
平均重合度８００、引張り強さ（ＭＰａ）４７．７、軟化温度６４℃のエチレンー塩化ビニル樹脂１８重量部、平均粒径５μｍのゲルマニウム内在黒雲母粉末（但し、韓国、株式会社曙峰社製品）４重量部及び平均粒径１μｍのサマリウム鉄窒素粉末７８重量部とをブラベンダーに仕込んで混合した後、１６０〜１７０℃、１５分の混練条件でカレンダー押出し成型により幅５ｍｍ、厚さ２ｍｍ、外側半径８ｍｍ、内側半径６ｍｍ、長さ５０ｍｍの長方形そり型を作成し、内側をＮ極になるように表面磁力５００ガウスに着磁させた部材を作成した。
【００２５】
次いで、保持材である内径１６ｍｍ、厚さ１．５ｍｍ、長さ６５ｍｍのシリコンゴム官の中に上述の部材２個をＮ極同士を相対させつつ、図２のように強制的に押し込んだ後、水道蛇口にゴム弾性をもって連結させ、本発明の導管内流水活性化器具を製造した。
【比較例１】
【００２６】
実施例１と同様のフェライト磁石をゲルマニウム内在黒雲母を塗装付着させずに、ＡＢＳ樹脂からなる保持材に固定させた後、実施例１と同様にして業務用塩化ビニール製水道導管（但し、内径３２ｍｍのもの）の内部に押し込んだ。
【比較例２】
【００２７】
平均重合度８００、引張り強さ（ＭＰａ）４７．７、軟化温度６４℃のエチレンー塩化ビニル樹脂１８重量部、平均粒径５μｍの黒雲母粉末（但し、ペグマタイトから採取した硬度２．７、比重３．０のもの）４重量部及び平均粒径１μｍのサマリウム鉄窒素粉末７８重量部とにより、実施例２と同様の表面磁力５００ガウスのボンド磁石を作成し、内径１６ｍｍ、厚さ１．５ｍｍ、長さ６５ｍｍのシリコンゴム管の中に押し込んだ後、水道蛇口に連結させた。
【実施例３】
【００２８】
外側半径１６ｍｍ、内側半径１２ｍｍ、長さ６５ｍｍの円柱の３分の１の形状からなる、内側をＮ極とした表面磁力２８００ガウスのネオジウム鉄ボロン磁石２個をＮ極同士を相対させつつ平均粒径１ｍｍのゲルマニウム内在黒雲母顆粒（但し、韓国、株式会社曙峰社製品）１０ｇと共にＳＵＳ３１６Ｌステンレススチールの二重容器型保持材に充填させた後、外枠を無色透明アクリル樹脂板とする１００メッシュのＳＵＳ３１６Ｌステンレススチールの金網でふさいで、図３及び図４に示すような本発明の導管内流水活性化器具を製造した。
【比較例３】
【００２９】
内側をＳ極とした実施例３と同様形状の表面磁力２８００ガウスのネオジウム鉄ボロン磁石２個をＳ極同士を相対させつつ平均粒径１ｍｍのゲルマニウム内在黒雲母顆粒（但し、韓国、株式会社曙峰社製品）１０ｇと共に、実施例３と同様のＳＵＳ３１６Ｌステンレススチールよりなる保持材の中に充填、密封した。
【実施例４】
【００３０】
６０ｍｍ×３０ｍｍ×５ｍｍの表面磁力９００ガウスのストロンチウムフェライト磁石をＮ極を上にして立ち上がり部２０ｍｍ×３０ｍｍ×２ｍｍ、平面部６４ｍｍ×３０ｍｍ×２ｍｍのＬ字型ＡＢＳ樹脂板の内側にエポキシ系接着剤で接着させた後、厚さ０．６ｍｍの鉄板（但し、６０ｍｍ×３０ｍｍのもの）に平均粒径５μｍのゲルマニウム内在黒雲母粉末（但し、韓国、株式会社曙峰社製品）６０％と油性１液型アクリル樹脂系塗料４０％との混合物で焼き付け処理して、厚さ６０μｍの塗膜を付着させたものを磁力で吸着させた部材を２個作成した。
次いで、この２個の部材をＮ極同士を相対させつつ、図５に示すように接着させた箱形保持材の中に固定し、本発明の導管内流水活性化器具を製造した。
【比較例４】
【００３１】
ゲルマニウム内在黒雲母粉末含有アクリル塗料焼き付け鉄板を吸着させずに、実施例４と同様にＮ極同士を相対させつつ、実施例４と同様の箱形保持材の中に固定した。
【比較例５】
【００３２】
実施例４と同様のストロンチウムフェライト磁石の１個をＮ極を上にして同様のＬ字型ＡＢＳ樹脂板の内側に接着させ、もう１個をＳ極を上にして同様のＬ字型ＡＢＳ樹脂板の内側に接着させた。しかる後、それぞれに対して、実施例４と同様にしてゲルマニウム内在黒雲母粉末含有アクリル塗料焼き付け鉄板を吸着させ、Ｎ極とＳ極を相対させつつ実施例４と同様の箱形保持材の中に固定した。
【応用実施例１】
【００３３】
本発明実施例１の導管内流水活性化器具及び比較例１の磁気器具を水道導管の途中に取り付け、一方、本発明実施例２〜４の導管内流水活性化器具及び比較例２〜５の磁気器具を水道導管の蛇口の最外部（但し、水道水原水は全て千葉県八千代市内使用のもの）に取り付けた後、流水させた直後の水検体を各々５００ｍｌのＰＥＴボトルに採取し、２０℃恒温条件で４時間整地させた。
【００３４】
つづいて、各１０人の飲料者による味覚判定、デュヌイ法による表面張力測定及びサラダオイルの強制分散後の再凝集性をそれぞれ比較し、以下に示す判定基準にしたがって表１に示した。
【００３５】
（１）味覚判定
次の判定基準とした。
◎・・・１０人の試飲者全員が塩素の刺激が無くなり、まろやかになったとしたもの
○・・・１０人の試飲者中７〜９人が塩素の刺激が無くなり、まろやかになったとしたも        の
△・・・１０人の試飲者中５〜６人が塩素の刺激が無くなり、まろやかになったとしたも        の
×・・・１０人の試飲者中、塩素の刺激が無くなったと判定したものが４人以下のもの
【００３６】
（２）表面張力
ビーカーに１００ｍｌづつ、各水検体を取り、２０℃でデュヌイの表面張力計で測定した。
【００３７】
（３）サラダオイルの再凝集性
試験管に５０ｇづつ、２０℃の各水検体を取り、その上に油溶性染料（但し、オイルレッドＢを使用）を溶解させたサラダオイルを２ｇ注入した後、３０回手動による振盪を行い、次いで、２０℃恒温条件で５分間靜置させ観測した。
【００３８】
【表１】
2005081228.tif 000003
【００３９】
表１から分かるように、本発明の導管内流水活性化器具を通過してなる流水は、水道水原水の相としての性質である表面張力を低下させるものではなく、水分子の共鳴振動を励起させることにより、塩素の刺激が舌に与える影響を相対的に少なくするために、まろやかになるということが伺われた。
【応用実施例２】
【００４０】
１ヶ月２５日稼働（但し、１日６時間営業）している焼豚肉兼焼鳥肉店の水道元導管に本発明実施例１の導管内流水活性化器具及び比較例１の磁気器具をそれぞれ別々に１ヶ月間接続して流水し、店内で使用した。その間のグリーストラップの状態変化を示した結果を表２に示した。
【００４１】
【表２】
2005081228.tif 000004
【００４２】
表２から分かるように、共鳴振動している本発明の流水活性化器具通過水道水分子の作用は顕著で、グリーストラップの円滑運用を助ける効果が充分に引き出されていることが確認された。
【応用実施例３】
【００４３】
活性炭濾過層使用水精製装置の出口に本発明実施例２の導管内流水活性化器具及び比較例２の磁気器具をそれぞれ別々に連結させた後、コーヒー豆（La Tarra doro PRESTIGE）を装填しているコーヒーマシン（但し、スイス国エグロ社製品ARCO）の中に注入し、８５℃で３０秒間、抽出操作を行った。
【００４４】
取り出したコーヒー液について、比重、粘度の物性測定と主要成分であるカフェインの１００ｇにおける抽出量を高速液体クロマトグラフ分析で調べた結果を表３に示した。
【００４５】
【表３】
2005081228.tif 000005
【００４６】
表３から分かるように、共鳴振動している本発明の流水活性化器具通過精製水は他の精製水に比べてコーヒー液の製造に一層有効であることが調べられた。また、このことは定性的に、味及び香気でも見分けられた。
【応用実施例４】
【００４７】
本発明実施例３の導管内流水活性化器具及び比較例３の磁気器具を延長ホースを中継して水道蛇口と連結させた後に流水させ、５０メッシュの鉄網皿の上に乗せた摘み取り２４時間経過１５℃放置後のホウレンソウに対して２時間散水した。
【００４８】
また、各検体水を１リットルのビーカーに取り、摘み取り１２０時間経過５℃放置後のトマトを４８時間浸漬させた。状態変化を観察した結果を表４に示した。
【００４９】
【表４】
2005081228.tif 000006
【００５０】
表４から明らかなように、共鳴振動している本発明の流水活性化器具通過水道水は植物性食品に有効な生理活性協力効果をもたらすということが確認された。
【応用実施例５】
【００５１】
築２０年の９階建てビルの中の屋上貯水槽の水道水を利用している１室（但し、１週間の内５日、午前９時〜午後７時の間に平均３人在勤）の水洗トイレの洗浄水噴射蛇口に本発明実施例３の導管内流水活性化器具及び比較例３の磁気器具を各々別々に１ヶ月間接続して流水し、使用した。その間のセラミック製便器の清浄化状況等を示した結果を表５に示した。
【００５２】
【表５】
2005081228.tif 000007
【００５３】
表５から分かるように、本発明の流水活性化器具通過水道水は、洗浄剤を使用しない条件でも充分に洗浄性を発揮するということが認められた。
【応用実施例６】
【００５４】
各々、マブナ（但し、体長１０ｃｍのもの）２匹、タイリクバラタナゴ（但し、体長３ｃｍのもの）５匹及びモツゴ（但し、体長７ｃｍのもの）５匹を入れて、窓ガラス１枚を通して日光を受けた側面全体にアオコを発生させている４５ｃｍ×２９．５ｃｍ×２９．５ｃｍの４個のガラス製水槽の上部に設置されたポンプ式濾過兼用水循環器（但し、コトブキ社製スーパーターボゼット４５０を使用）のうちの３つの吐出口に、各々本発明実施例４の導管内流水活性化器具、比較例４及び比較例５の磁気器具を接続させて２ヶ月間、槽内の水を循環させ、付着したアオゴ及び発生するアオコに対する影響を調べた結果を表６に示した。
【００５５】
【表６】
2005081228.tif 000008
【００５６】
表６から分かるように、永久磁石のＮ極同士の斥力と黒雲母の層間内在ゲルマニウムに由来する低温放射遠赤外線の作用の組み合わせを利用する本発明の流水活性化器具通過槽内循環水は固有のエネルギー状態にあり、その作用によって水槽の適正使用に大いに益しているということが比較確認された。
【図面の簡単な説明】
【００５７】
【図１】本発明実施例１の導管内流水活性化器具をステンレススチール製導管内部に取り付けた断面図である。
【図２】本発明実施例２の導管内流水活性化器具の斜視図である。
【図３】本発明実施例３の導管内流水活性化器具の正面図である。
【図４】本発明実施例３の導管内流水活性化器具の側面図である。
【図５】本発明実施例４の導管内流水活性化器具の正面図である。
【符号の説明】
【００５８】
１・・・永久磁石
２・・・ゲルマニウム内在黒雲母
３・・・保持材
４・・・導管
５・・・鉄板    
【図１】
2005081228.tif 000009
【図２】
2005081228.tif 000010
【図３】
2005081228.tif 000011
【図４】
2005081228.tif 000012
【図５】
2005081228.tif 000013